(57)【要約】【課題】販売促進及び広告を効率良く行う方法及び個人のスケジュール管理をより簡単にする事を提供する事である。【解決手段】コンピューターネットワークにより登録会員が入力した「大切な日」のリマインダーを登録会員が指定した日数前に登録会員が指定した送付先にｅ−ｍａｉｌを送付するリマインダー付きショッピングサイト環境を提供する。  ホームページへは携帯電話、携帯及び端末コンピューターから２４時間アクセスでき、会員番号が発行され本人及びリマインダー登録・変更・解約ができる。  リマインダーにて過去送った商品が参照（商品によっては実物の写真付）でき同時にプレゼントを発注することも可能。店舗側はこのサイトに加盟することにより、より多くの顧客に商品を見てもらう事ができ、顧客の購買層、人気商品、購買タイミングなどを把握し、積極的な販売促進ができる。【選択図】図１
2005100300.tif 000002
【特許請求の範囲】
【請求項１】
下記コアシステムから構成される本発明のコンピューターネットワークにより登録会員が入力した「大切な日」のリマインダーを登録会員が指定した日数前に登録会員が指定した送付先にｅ−ｍａｉｌを送付するリマインダー付きショッピングサイトシステム。
当該コンピューターネットワークへ携帯電話、携帯及び端末コンピューターからホームページに２４時間アクセスできるインターフェース。
ホームページより本人登録ができる画面、その画面に入力を制御する入力制御手段、及び会員番号が発行されるシステム。
ホームージより会員が２４時間いつでもアクセスでき、リマインダーが欲しい日の種類、日程及び送付先を入力できる画面、そしてその画面に入力を制御する入力制御手段。
当該入力されたデータをデータベース化するソフト、リマインダーを送付するため及び月会費等の変更を管理するためのスケジュール管理ソフト、各種手続き完了通知を送付するメール送付ソフト、本人確認するための本人確認ソフト、メインプログラム、それぞれの記憶装置及びそのソフトウェアを制御する制御手段。
各ソフトへの入力を制御する入力制御手段から通信ネットワークへの出力を制御する出力制御手段はサーバーと、インターネット等の通信回線及び携帯電話、携帯端末、コンピューターなどによって構成される。
【請求項２】
「請求項１」記載のシステムにおいて、スケジュール管理ソフトを用いて登録会員が指定した日に「大切な日のお知らせ」をｅ−ｍａｉｌ配信し、過去その人にどんなプレゼントを送ったかの履歴（商品によっては実物写真付）を添付するシステム。
また、当該ｅ−ｍａｉｌからホームページ内ショッピングサイトに直結できるインターフェース及びそのインターフェースを制御するシステム。
当該ショッピングサイトからプレゼントを発注することができ、メッセージを添付したり、プレゼントのお届け日を指定できる入力画面、その画面に入力をする入力制御手段。
【請求項３】
「請求項２」記載のシステムにおいて、まず会費及び商品代金等の引き落としが終了されているか確認するシステム及びそれを制御するシステム、及び何日前にリマインダーを送信するか確認し、大切な日よりその指定日数前にリマインダーを指定先のｅ−ｍａｉｌアドレスに送るシステムとその制御システム。
以上二条件を確認した後、正しい日に商品の発注伝票を自動的に送信するシステムとその制御システム。
【請求項４】
「請求項３」記載のシステムにおいて、プレゼント商品の発注伝票が自動的に各加入店舗に送信され、商品が送り先に送付される当該システム。
【請求項５】
「請求項１」記載のシステムにおいて、月会費の引落、変更、商品代金の引落に伴う毎月の引落金額を集金代行システムに通知するための集金代行とのインターフェースとそれを制御するシステム。
【発明の詳細な説明】
【技術分野】
【０００１】    本発明は、コンピューターシステムを用いたショッピングサイトで、登録会員にはリマインダーサービスでスケジュール管理を提供し、過去送った商品を参照（商品によっては実物写真付）しながら、プレゼントも合わせて当サイト内で発注できることに特徴を有する。
【背景技術】
【０００２】    従来のショッピングサイトにはそのサイトで商品を購入することに特化しておりリマインダーサービスのようなスケジュール管理や、データベースを用いたアドレス管理、本人確認ソフトなどは付加されていなかった（例えば、特許文献１参照）。  また、リマインダーサービスが付加されているものは、スケジュール管理に重きをおいており、リマインダーを送信するのみで、商品を購入する事と連携がされていなかった（例えば、特許文献２参照）。
【特許文献１】公開番号  特許公開２００３−１２３００７
【特許文献２】公開番号  特許公表２００２−５０１２４９
【発明の開示】
【発明が解決しようとする課題】
【０００３】    販売促進及び広告を効率良く行う方法及び個人のスケジュール管理をより簡単にする事を提供する事である。
【発明が解決するための手段】
【０００４】    上記目的を達成するために、下記コアシステムから構成されるコンピューターネットワークにより登録会員が入力した「大切な日」のリマインダーを登録会員が指定した日数前に登録会員が指定した送付先にｅ−ｍａｉｌを送付するリマインダー付きショッピングサイト環境を提供する。
携帯電話、携帯及び端末コンピューターからホームページに２４時間アクセスできるインターフェース及びその制御システム。
ホームページより本人（氏名、住所、メールアドレスなど）登録・変更・解約ができる画面、その画面に入力を制御する入力制御手段、及び会員番号が発行されるシステム。
ホームページより会員が２４時間いつでもアクセスでき、リマインダー（種類、日付、送付先、リマインダー送信日指定）を登録・変更・解約できる画面、そしてその画面に入力を制御する入力制御手段。
当該入力されたデータをデータベース化するソフト、リマインダーを送付するため及び月会費等の変更を管理するためのスケジュール管理ソフト、各種手続き完了通知を送付するメール送付ソフト、本人確認するための本人確認ソフト、メインプログラム、それぞれの記憶装置及びそのソフトウェアを制御する制御手段。
各ソフトへの入力を制御する入力制御手段から通信ネットワークへの出力を制御する出力制御手段はサーバーと、インターネット等の通信回線及び携帯電話、携帯端末、コンピューターなどによって構成される。
【０００５】    スケジュール管理ソフトを用いて登録会員が指定した日に「大切な日のお知らせ」をｅ−ｍａｉｌ配信し、過去その人に送ったプレゼントの履歴を添付するシステム。
当該ｅ−ｍａｉｌからホームページ内ショッピングサイトに直結できるインターフェース及びそのインターフェースを制御するシステム。
当該ショッピングサイトからプレゼントを発注することができ、メッセージを添付したり、プレゼントのお届け日を指定できる入力画面、その画面に入力をする入力制御手段。
【０００６】    会費及び商品代金等の引き落としが終了されているか確認するシステム及びそれを制御する確認システム。
何日前にリマインダーを送信するか確認し、大切な日よりその指定日数前にリマインダーを指定先のｅ−ｍａｉｌアドレスに送るシステムとその制御システム。
以上二条件を確認した後、正しい日に商品の発注伝票を自動的に送信するシステムとその制御システム。
【０００７】    プレゼント商品の発注伝票が自動的に各加入店舗に送信され、商品が送り先に送付される当該システム。
【０００８】    月会費の変更、商品代金の引落に伴う毎月の引落金額変更を集金代行システムに通知するための集金代行とのシステムインターフェースとそれを制御するシステム。
【発明の効果】
【０００９】    店舗側はこのサイトに参加登録することにより、より多くの顧客に商品を見てもらう事ができ、顧客の購買層、人気商品、購買タイミングなどを把握し、積極的な販売促進ができるメリットが受けられる。
【００１０】    登録会員は一度リマインダーを登録すれば何年にもわたりリマインダーが送信されるメリットがうけられる。
またリマインダー受信と同時に過去送った商品を参照しながらプレゼントを発注する事、メッセージを添付する事、お届け日を指定する事ができるので、わざわざプレゼントを買いにいく手間が省け、スケジュール管理が簡単になるメリットが受けられる。
また従来の方法だとお花など金額指定のみで実際どんなお花が送られたのかは見ることができなかったが、この発明では実物の写真を送付完了メールに添付することで実物を会員本人が確認できる。
【００１１】    登録会員は端末コンピューターのみならず、携帯電話からもアクセス可能なので、世界中どこにいても２４時間リマインダーを受信でき、プレゼントを発注することができる。
【００１２】    発注伝票が自動的に加盟店舗に送信されることや、集金代行とのインターフェースの構築により、情報が自動処理され、人間によるミスを最小に抑える事や事務処理時間の短縮化ができる。
【発明を実施するための最良の形態】
【実施例】
【００１３】    図１で示されるコアシステム７はのインターネット等のネットワーク回線を経由して入ってきた情報をＩＤ照合の本人確認システム８を通過させ、メインプログラム１０、スケジュール管理ソフト１１、データーベース１２、それぞれのソフトを記憶させた記憶装置１３、インターネット等のネットワーク回線を通じて各種端末コンピュターへ信号を出力する出力制御手段９によって構成される。【００１４】    当該システムの利用者は、図２のようにインターネットを経由して、携帯電話２、携帯端末３、もしくは端末コンピューター１からコアシステム７にアクセスする。
まず初めに図３で示される画面で本人登録（氏名、住所、電話番号、性別、ｅ−ｍａｉｌアドレス、母親の旧姓）を行う。本人登録を行うことにより、当サーバーから会員番号が発行され、本人登録完了のｅ−ｍａｉｌが本人指定ｅ−ｍａｉｌアドレスに届く。
ここで入力された本人情報はサーバーで保管され、今後本人登録内容を変更したり、リマインダー登録等を行う場合には会員番号もしくは登録名と母親の旧姓を入力する必要がある。【００１５】    本人登録終了後、リマインダーの登録をする。図４で示される画面でリマインダー登録を行う。一人について特に上限はなく、登録したいリマインダー数分登録できる。
家族や親戚、友人などの誕生日、結婚記念日、学校の行事などに関しての日付や、住所、氏名、性別等を入力する。また、大切な日の何日前までにリマインダーがほしいか、リマインダー毎に設定できるようになっており、その日に図５で示される「大切な日のお知らせ」ｅ−ｍａｉｌが指定先ｅ−ｍａｉｌアドレスに送られる。【００１６】    「大切な日のお知らせ」を受信したら、会員は過去に贈ったプレゼントを参照（商品によっては実物の写真付）しながら、インターフェースされているショッピングサイト、図６、にアクセスする事でプレゼントを発注できる。
好きな商品を指定して、お届け日、送付先、支払方法等を入力すると、図７、その注文が自動的にサーバーを通して店舗のほうに送信される。このようにリマインダーを受信することによって、プレゼントを即時に発注することができ、忙しい生活の中でうっかり忘れることを防ぐことができるのに加えわざわざプレゼントを購入しにいく手間が省くことができる。
また、すでにリマインダーを登録した際に送り送付先住所等もサーバー上に保存してあるので、サイド入力したり記入したりする必要はない。また、もし変更が必要な場合は、ホームページ上で簡単に操作できる環境が整っている、図８。【００１７】    プレゼントにメッセージをつけたい場合は画面上からメッセージを入力することにより、メッセージをつけてプレゼントを送る機能もついている。【００１８】    このコアシステムは事務フローも備え付けており、会費及び商品代金等の引き落としが終了されているか確認するシステム及びそれを制御する確認システムを保有し、ユーザー会社側５に事務の簡略化を提供する。【０００１９】    また、プレゼント商品の発注伝票が自動的に各加入店舗４に送信され、商品が送り先に送付される。つまり人間が介入しないようになっており、情報の一元化、そして、再入力を無くす事による事務ミスの最小限化を提供する。【０００２０】    集金代行会社６を使用して月会費等を集金するので、引落に伴う事務に関わる情報のやりとりをするための集金代行とのシステムインターフェースとそれを制御するシステムをもコアシステムに持たせている。
【図面の簡単な説明】
【０００２１】
【図１】本発明におけるコアシステムの構成を示す図である。
【図２】本発明における会員のアクセス方法を示す図である。
【図３】本発明における本人登録・変更・解約のサンプル画面である。
【図４】本発明におけるリマインダー登録のサンプル画面である。
【図５】本発明における「大切な日のお知らせ」ｅ−ｍａｉｌのサンプルである
【図６】本発明におけるショッピングサイトのサンプル画面である
【図７】本発明におけるプレゼント送付先指定、お届け日指定、支払い方法指定する画面である。
【図８】本発明におけるリマインダーを変更するサンプル画面である。
【符号の説明】
【０００２２】    １コンピューター端末
２携帯電話
３携帯端末
４店舗
５ユーザー会社
６集金代行会社
７コアシステム
８本人確認システム
９出力システム
１０メインプログラム
１１スケジュール管理システム
１２データベース
１３記憶装置システム
【図１】
2005100300.tif 000003
【図２】
2005100300.tif 000004
【図３】
2005100300.tif 000005
【図４】
2005100300.tif 000006
【図５】
2005100300.tif 000007
【図６】
2005100300.tif 000008
【図７】
2005100300.tif 000009
【図８】
2005100300.tif 000010